(57)【要約】【課題】  安定したデータ送信を行うことのできるデータ送信装置を提供することを目的とする。【解決手段】  通信ケーブルを介して接続された電子機器にデータを送信するデータ送信装置１００において、内部の所定箇所の温度を検知する温度検知部２１０と、互いに送信速度が異なる複数の送信モードのうち、温度検知部２１０により検知された温度に応じた送信モードを選択する送信モード選択部２２０と、送信モード選択部２２０により選択された送信モードで上記電子機器にデータを送信する送信部２３０とを備えた。【選択図】  図３
2005065136.tif 000002
【特許請求の範囲】
【請求項１】
通信ケーブルを介して接続された電子機器にデータを送信するデータ送信装置において、
このデータ送信装置内部の所定箇所の温度を検知する温度検知部と、
互いに送信速度が異なる複数の送信モードのうち、前記温度検知部により検知された温度に応じた送信モードを選択する送信モード選択部と、
前記送信モード選択部により選択された送信モードで前記電子機器にデータを送信する送信部とを備えたことを特徴とするデータ送信装置。
【請求項２】
前記送信モード選択部は、前記温度検知部により検知された温度が所定の上限温度を超えている場合には、前記複数の送信モードのうち相対的に送信速度が低い送信モードを選択するものであることを特徴とする請求項１記載のデータ送信装置。
【発明の詳細な説明】
【技術分野】
【０００１】
本発明は、データ送信装置に関し、特に、電子カメラなどの小型の電子機器における、通信ケーブルを介して接続された、パーソナルコンピュータなどの電子機器にデータを送信するデータ送信装置に関する。
【背景技術】
【０００２】
従来、通信ケーブルを介して接続された電子機器にデータを送信するデータ送信装置の分野において、消費電力の低いデータ送信装置の開発が盛んに進められている。
【０００３】
通常、データ送信装置は通信速度の異なる複数の送信モードを有しており、通信速度が高い送信モードの時ほど、一般に消費電力が高いのが普通である。そこで、通信ケーブル上の通信速度や送信モードを検出し、その検出結果に応じた通信速度や送信モードで動作させることにより低消費電力を実現しようするものが多い。
【０００４】
従来のデータ送信装置として、使用する通信速度を取得し、通信速度が高速の時にはデータ処理ＣＰＵの動作クロックの周波数を高くし、通信速度が低速の時にはデータ処理ＣＰＵの動作クロックの周波数を低くするという例が紹介されている。（例えば、特許文献１参照）。
【０００５】
また、高速送信モード時に必要な高周波数のクロックを生成する回路に必要な大電力は低速送信モード時には無駄となるので、送信モードを切り替える際にはクロックの周波数を切り替える必要があるが、その切り替えの際に動作不良を起こすことなくダイナミックにクロックの周波数を切り替えることのできるデータ送信装置が提案されている。（例えば、特許文献２参照）。
【特許文献１】特開平７−３２１８７４号公報（第２〜３頁、第１図）
【特許文献２】特開２００２−１４１９１１号公報（第３頁、第１図）
【発明の開示】
【発明が解決しようとする課題】
【０００６】
しかし、これら従来の方法では、データ送信時のデータ送信装置内部の状態の変化についての考慮がなされていないため、装置内部の温度が上昇して高速なデータ送信を行うと熱による不具合、例えば、送信の中断、送信データの欠落、エラーデータの発生などが懸念されるような場合でも、そのまま高消費電力でデータ送信が行われることがあり、安定したデータ送信ができない状態に陥る恐れがある。
【０００７】
本発明は、上記事情に鑑み、安定したデータ送信を行うことのできるデータ送信装置を提供することを目的とする。
【課題を解決するための手段】
【０００８】
上記目的を達成する本発明のデータ送信装置は、
通信ケーブルを介して接続された電子機器にデータを送信するデータ送信装置において、
このデータ送信装置内部の所定箇所の温度を検知する温度検知部と、
互いに送信速度が異なる複数の送信モードのうち、上記温度検知部により検知された温度に応じた送信モードを選択する送信モード選択部と、
上記送信モード選択部により選択された送信モードで上記電子機器にデータを送信する送信部とを備えたことを特徴とする。
【０００９】
本発明のデータ送信装置によれば、内部の所定箇所の温度を検知する温度検知部と、複数の送信モードのうち、温度検知部により検知された温度に応じた送信モードを選択する送信モード選択部とを備えたことにより、内部の温度の変化に対応することが可能となり安定したデータ送信を行うことができる。
【００１０】
ここで、上記送信モード選択部は、上記温度検知部により検知された温度が所定の上限温度を超えている場合には、上記複数の送信モードのうち相対的に送信速度が低い送信モードを選択するものであることが好ましい。
【００１１】
本発明のデータ送信装置をこのように構成した場合は、装置内部の温度が高い場合は低消費電力の低速送信モードでデータ送信することにより、装置の発熱を抑えて不具合の発生を未然に防止するとともに消費電力を低減した状態でデータ送信を行うことができる。
【発明の効果】
【００１２】
以上、説明したように、本発明のデータ送信装置によれば、内部の所定箇所の温度を検知する温度検知部と、複数の送信モードのうち、温度検知部により検知された温度に応じた送信モードを選択する送信モード選択部とを備えたことにより、装置内部の温度の変化に対応することが可能となり安定した送信を行うことができる。
【００１３】
また、上記送信モード選択部を、温度検知部により検知された温度が所定の上限温度を超えている場合には、複数の送信モードのうち相対的に送信速度が低い送信モードを選択するものとして構成した場合は、装置内部の温度が高い場合は低消費電力の低速送信モードでデータ送信することにより、装置の発熱を抑えて不具合の発生を未然に防止するとともに消費電力を低減した状態でデータ送信を行うことができる。
【発明を実施するための最良の形態】
【００１４】
以下、本発明の実施形態について説明する。
【００１５】
ここでは、本発明のデータ送信装置を、ＣＣＤ（Ｃｈａｒｇｅ  Ｃｏｕｐｌｅｄ  Ｄｅｖｉｃｅ：電荷結合素子）上に被写体の像を結像させて画像データを得、その画像データを通信ケーブルを介して接続された電子機器に送信する電子カメラに適用した実施形態について説明する。
【００１６】
図１は、本発明の一実施形態の電子カメラを前面斜め上から見た外観斜視図である。ここでは、先ず図１〜図２を参照して、電子カメラの一般的な構成について説明する。尚、本実施形態の電子カメラにおける本発明としての特徴は、後述する“温度検知部”、“送信モード選択部”、および“送信部”にあるが、これら各部については後で詳細に説明する。
【００１７】
図１に示すカメラ１００は、図示しないＣＣＤ上に画像データを形成する電子カメラである。
【００１８】
このカメラ１００の前面には、撮影レンズ１０１ａを内部に備えたレンズ鏡胴１０１が備えられている。撮影レンズ１０１ａから入射した被写体光を、内部に配置されたＣＣＤ（図示せず）の撮影面上に結像させることにより、被写体を表す画像データが生成される。生成された画像データは、カメラ１００の内部に配備されたデータ記憶部（後述）に記憶された後、上記“送信部”により、通信ケーブルを介して接続された、例えば、パーソナルコンピュータなどの他の電子機器に送信される。
【００１９】
また、このカメラ１００の前面には、レンズ鏡胴１０１の左斜め上にフラッシュ調光窓１０２、フラッシュ調光窓１０２の左隣にフラッシュ発光窓１０３、フラッシュ発光窓１０３の下にセルフタイマＬＥＤ（Ｌｉｇｈｔ  Ｅｍｉｔｔｉｎｇ  Ｄｉｏｄｅ：発光ダイオード）１１５、およびレンズ鏡胴１０１の右斜め上に光学式ファインダ対物窓１０４ａが備えられている。
【００２０】
また、このカメラ１００の上面の右端には、シャッタレリーズボタン１０５が備えられている。
【００２１】
さらに、このカメラ１００の左側面の下方には、上から順に、写真撮影によって生成され、データ記憶部（後述）に記憶された画像データをパーソナルコンピュータなどの他の電子機器に送信する際に使用されるＵＳＢ（Ｕｎｉｖｅｒｓａｌ  Ｓｅｒｉａｌ  Ｂｕｓ）ケーブルが接続されるＵＳＢコネクタ１０６、およびカメラ１００に外部電源を供給する際に使用される電源ケーブルが接続される電源入力端子１０７が備えられている。
【００２２】
ＵＳＢは、パーソナルコンピュータと、キーボード、マウス、モデム、電子カメラなどの周辺機器とを結ぶデータ伝送路の規格のひとつであり、当初、あまり大容量のデータを扱わない場合の規格としてＵＳＢ１．１という規格が制定された。しかし、ＵＳＢ１．１は最高でも１２Ｍｂｐｓ（Ｍｅｇａ  ｂｉｔｓ  ｐｅｒ  ｓｅｃｏｎｄ）という低い送信速度しか得られないため、高速通信の需要を満たすべく、最近、ＵＳＢ１．１の後継規格として、最高４８０Ｍｂｐｓの送信速度を有するＵＳＢ２．０が策定され、急速に普及しつつある。
【００２３】
図２は、図１に示す電子カメラを背面斜め上から見た外観斜視図である。
【００２４】
このカメラ１００の背面には、光学式ファインダ接眼窓１０４ｂ、画像や日時を表示するＬＣＤ（Ｌｉｑｕｉｄ  Ｃｒｙｓｔａｌ  Ｄｉｓｐｌａｙ：液晶ディスプレイ）パネル１０８、ＬＣＤパネル１０８による画像表示をオン／オフするためのＬＣＤパネル起動ボタン１０９、ズーミングその他の操作用の十字キー１１０、撮影に関する各種モードを選択する際に使用される撮影モードダイヤル１１２、写真撮影を行う撮影機能と、写真撮影されて記録された画像データを再生する画像データ再生機能とのうちのいずれかの機能を選択する際に使用される機能選択レバー１１３、機能選択レバー１１３の軸上に設けられたメインスイッチ１１４、および、内部に画像データ記憶用の記憶媒体を収納する記憶媒体収納部１１６が備えられている。
【００２５】
このカメラ１００の記憶媒体収納部１１６には、超小型ハードディスク装置およびメモリカードなどの記憶媒体に共通のコネクタが備えられており、そのコネクタに、画像データ記憶用の記憶媒体としての、超小型ハードディスク装置またはメモリカードを装着することができるようになっている。超小型ハードディスク装置としては、例えば、マイクロドライブ（Ｍｉｃｒｏｄｒｉｖｅ）（登録商標）など、また、メモリカードとしては、例えば、コンパクトフラッシュ（Ｃｏｍｐａｃｔ  Ｆｌａｓｈ）（登録商標）などを用いることができる。
【００２６】
図３は、本発明のデータ送信装置の一実施形態の概略構成図である。
【００２７】
図３に示すように、本実施形態のデータ送信装置１００は、通信ケーブルを介して接続された電子機器にデータを送信するデータ送信装置であって、温度検知部２１０と、送信モード選択部２２０と、送信部２３０とを備えており、図１および図２に示した電子カメラとしての機能をも有している。
【００２８】
温度検知部２１０は、このデータ送信装置１００内部の所定箇所の温度を検知するものである。
【００２９】
送信モード選択部２２０は、互いに送信速度が異なる複数の送信モードのうち、温度検知部２１０により検知された温度に応じた送信モードを選択するものである。
【００３０】
送信部２２０は、送信モード選択部２２０により選択された送信モードで他の電子機器にデータを送信するものである。
【００３１】
また、この実施形態のデータ送信装置１００では、上記送信モード選択部２２０は、温度検知部２１０により検知された温度が所定の上限温度を超えている場合には、上記複数の送信モードのうち相対的に送信速度が低い送信モードを選択するように構成されている。
【００３２】
図４は、本発明のデータ送信装置の一実施形態を示すブロック図である。
【００３３】
図４に示すように、このデータ送信装置１００は、コントローラ１、ＣＰＵ９、温度検知モジュール１０、ＣＰＵ／コントローラ用温度センサ１１、記憶媒体用温度センサ１２、およびＵＳＢコネクタ１０６を備えている。そして、このデータ送信装置１００は、被写体の写真を撮影し画像データを生成する撮影部３００、および撮影部３００で生成された画像データを記憶するデータ記憶部４００とともに電子カメラ１００を構成している。データ記憶部４００には、記憶媒体収納部１１６（図２参照）が設けられており、記憶媒体収納部１１６に収納された記憶媒体（超小型ハードディスク装置またはメモリーカード）に、撮影部３００で生成された画像データが記憶される。
【００３４】
コントローラ１には、接続検知モジュール２、ＵＳＢ２．０モジュール３、ＵＳＢ１．１モジュール４が備えられている。
【００３５】
接続検知モジュール２は、このデータ送信装置１００に、他の電子機器にデータを送信するためのＵＳＢケーブル１５が接続されているか否かを検知するものである。このＵＳＢケーブル１５は、本発明にいう通信ケーブルの一例に相当するものである。
【００３６】
ＵＳＢ２．０モジュール３およびＵＳＢ１．１モジュール４は、本発明にいう送信部の一例に相当するものであり、データ記憶部４００に記憶された画像データをＵＳＢコネクタ１０６およびＵＳＢケーブル１５を介して他の電子機器に送信する。
【００３７】
温度検知モジュール１０、ＣＰＵ／コントローラ用温度センサ１１、および記憶媒体用温度センサ１２は、本発明にいう温度検知部の一例に相当するものであり、本実施形態のデータ送信装置１００内部の２カ所に配備された温度センサ、すなわち、ＣＰＵ９及びコントローラ１の温度を検知するためのＣＰＵ／コントローラ用温度センサ１１、および記憶媒体収納部１１６（図２参照）に収納される超小型ハードディスク装置などの記憶媒体の温度を検知するための記憶媒体用温度センサ１２により温度を検知する。
【００３８】
ＣＰＵ９は、本発明にいう送信モード選択部の一例に相当するものであり、互いに送信速度が異なる複数の送信モードのうち、温度検知モジュール１０により検知された温度に応じた送信モードを選択する。本実施形態では、送信モードとして、送信速度の高い高速送信モードと送信速度の低い低速送信モードの２つの送信モードを有しており、送信モード選択部（ＣＰＵ９）により高速送信モードが選択された場合は、送信速度の高いＵＳＢ２．０モジュール３によりデータ送信を行い、送信モード選択部（ＣＰＵ９）により選択された送信モードが低速送信モードである場合は、送信速度の低いＵＳＢ１．１モジュール４によりデータ送信を行うように構成されている。
【００３９】
前述のように、本実施形態の電子カメラの記憶媒体収納部１１６（図２参照）に、超小型ハードディスク装置またはメモリーカードを収納し、それをこの電子カメラの記憶媒体として用いることができるが、回転機構を有する超小型ハードディスク装置を用いた場合は、回転機構を持たないメモリーカードを用いた場合に比べて発熱量が大きく、そのため、ＵＳＢ２．０による高速送信モードで超小型ハードディスク装置を駆動するとデータ送信装置内部が高温になり、動作が不安定となる恐れがある。そこで、超小型ハードディスク装置を用いた場合は、温度検知モジュール１０により検知された温度に応じて送信モードを選択する必要がある。
【００４０】
しかし、記憶媒体収納部１１６内のコネクタ（図示せず）に超小型ハードディスク装置が装着されていない場合は、データ送信装置内部が高温になる恐れは少ないので、その場合には、送信モード選択部は、検知された温度に応じた送信モード選択を行うことなくＵＳＢ２．０による高速送信モードで送信するように構成してもよい。
【００４１】
さらに、このデータ送信装置１００には、ＵＳＢコネクタ１０６にＵＳＢケーブル１５が接続されていることを接続検知モジュール２が検知すると割込みを発生し、その割込信号をＣＰＵ９に通知する通知手段６と、送信モード選択部（ＣＰＵ９）により選択された送信モードに応じてＵＳＢ２．０モジュール３とＵＳＢ１．１モジュール４を切り替えて動作させる切替手段７と、ＵＳＢコネクタ１０６からＵＳＢ２．０モジュール３又はＵＳＢ１．１モジュール４を経由してＣＰＵ９に至るデータ通信手段８と、ＣＰＵ／コントローラ用温度センサ１１および記憶媒体用温度センサ１２の温度を検知してＣＰＵ９に通知する通知手段１３とが備えられている。
【００４２】
前述のように、ＵＳＢ２．０は最高４８０Ｍｂｐｓの送信速度を有しているので大量のデータを送信するのに適しているが、ＵＳＢ２．０モジュール３で送信を行う場合は、最高１２Ｍｂｐｓの送信速度であるＵＳＢ１．１モジュール４で送信を行う場合に比べて消費電力が大きい。
【００４３】
そこで、本発明のデータ送信装置では、送信モード選択部（ＣＰＵ９）が、温度検知モジュール１０により検知された温度に応じた送信モードを選択するように構成されている。すなわち、本実施形態のデータ送信装置１００では、データ送信装置１００の内部に設置されたＣＰＵ／コントローラ用温度センサ１１および記憶媒体用温度センサ１２により検知された温度がいずれも所定の上限温度よりも低い場合は、高消費電力の高速送信モードが選択され、ＵＳＢ２．０モジュール３によりデータ送信を行うように構成されている。
【００４４】
一方、上記２つの温度センサで検知された温度のうちのいずれか一方でも所定の上限温度を超えている場合には、送信モード選択部により低消費電力の低速送信モードが選択され、ＵＳＢ１．１モジュール４によりデータ送信を行うように構成されている。
【００４５】
次に、本実施形態のデータ送信装置の動作について説明する。
【００４６】
図５は、本実施形態のデータ送信装置の動作を示すフローチャートである。
【００４７】
本実施形態のデータ送信装置１００（図４参照）に備えられた接続検知モジュール２は、ＵＳＢコネクタ１０６へのＵＳＢケーブルの接続の有無を絶えず検知しており（ステップＳ１）、ＵＳＢコネクタ１０６にＵＳＢケーブル１５（図４参照）が接続されたことが検知されると、接続検知モジュール２はＵＳＢケーブルが接続されたことを通知手段６を介してＣＰＵ９に通知する。
【００４８】
温度検知モジュール１０（図４参照）は、ＣＰＵ／コントローラ用温度センサ１１および記憶媒体用温度センサ１２により検知された温度を通知手段１３を介してＣＰＵ９（送信モード選択部）に通知する。送信モード選択部は、検知された温度が予め設定された上限温度を超えている場合は、低速送信モードを選択し（ステップＳ２）、切替手段７を介してＵＳＢ１．１モジュール４の動作を有効にし（ステップＳ３）、ステップＳ５に進む。
【００４９】
一方、検知された温度が予め設定された上限温度に達していない場合は、高速送信モードを選択し、切替手段７を介してＵＳＢ２．０モジュール３の動作を有効にし（ステップＳ４）、ステップＳ５に進む。
【００５０】
ステップＳ５ではデータ通信手段８による通信確立の後、上記送信モード選択部により選択された送信モードに対応するＵＳＢモジュールにより、ＵＳＢケーブル１５を介してホストコンピュータにデータを送信する。
【００５１】
なお、本実施形態では、複数の送信モードの例として、ＵＳＢ２．０モジュール３による高速送信モードおよびＵＳＢ１．１モジュール４による低速送信モードの２つの送信モードについて説明したが、本発明における送信モードは上記のＵＳＢ方式における送信モードに限定されるものではなく、他のいずれの方式における送信モードであってもよい。
【図面の簡単な説明】
【００５２】
【図１】本発明の一実施形態の電子カメラを前面斜め上から見た外観斜視図である。
【図２】図１に示す電子カメラを背面斜め上から見た外観斜視図である。
【図３】本発明のデータ送信装置の一実施形態の概略構成図である。
【図４】本発明のデータ送信装置の一実施形態を示すブロック図である。
【図５】本実施形態のデータ送信装置の動作を示すフローチャートである。
【符号の説明】
【００５３】
１    コントローラ
２    接続検知モジュール
３    ＵＳＢ２．０モジュール
４    ＵＳＢ１．１モジュール
６    通知手段
７    切替手段
８    データ通信手段
９    ＣＰＵ
１０    温度検知モジュール
１１    ＣＰＵ／コントローラ用温度センサ
１２    記憶媒体用温度センサ
１３    通知手段
１５    ＵＳＢケーブル
１００    カメラ（データ送信装置）
１０１    レンズ鏡胴
１０１ａ    撮影レンズ
１０２    フラッシュ調光窓
１０３    フラッシュ発光窓
１０４ａ    光学式ファインダ対物窓
１０４ｂ    光学式ファインダ接眼窓
１０５    シャッタレリーズボタン
１０６    ＵＳＢコネクタ
１０７    電源入力端子
１０８    ＬＣＤパネル
１０９    ＬＣＤパネル起動ボタン
１１０    十字キー
１１２    撮影モードダイヤル
１１３    機能選択レバー
１１４    メインスイッチ
１１５    セルフタイマＬＥＤ
１１６    記憶媒体収納部
２１０    温度検知部
２２０    送信モード選択部
２３０    送信部
３００    撮影部
４００    データ記憶部
【図１】
2005065136.tif 000003
【図２】
2005065136.tif 000004
【図３】
2005065136.tif 000005
【図４】
2005065136.tif 000006
【図５】
2005065136.tif 000007